(57)【要約】【課題】配管に取付けられたとき開度を読み取りやすくする。【解決手段】開度表示機能つき開閉弁２０は、弁箱２２と、閉止部材２４と、弁蓋２６と、貫通回転軸２８と、カップ状ハンドル１００と、開度表示機構１０２とを備える。カップ状ハンドル１００が、カップ状外殻１１２と、太陽歯車１１４とを有する。カップ状外殻１１２が、透明部分１１２ａを有している。開度表示機構１０２が、筐体１２０と、開度表示部材１２２と、遊星歯車１２４とを有している。筐体１２０が覗き窓１２０ｂを有している。覗き窓１２０ｂは、透明部分１１２ａに対向するよう配置される。開度表示部材１２２と遊星歯車１２４とは、筐体１２０内に収容される。開度表示部材１２２が表示部１２２ａを有している。表示部１２２ａは、覗き窓１２０ｂを介して透明部分１１２ａに対向している。【選択図】図１
2011133043.tif 000002
【特許請求の範囲】
【請求項１】
弁箱と、
前記弁箱内に収容される閉止部材と、
前記弁箱に取付けられる弁蓋と、
前記弁蓋を貫通し、前記閉止部材を開閉操作するための貫通回転軸と、
前記貫通回転軸に取付けられるカップ状ハンドルと、
前記カップ状ハンドルの中に配置される開度表示機構とを備える開度表示機能つき開閉弁であって、
前記カップ状ハンドルが、
カップ状外殻と、
前記カップ状外殻内に設けられ、前記貫通回転軸が挿入され、かつ、前記貫通回転軸と共に回転する筒状部分と、
前記筒状部分の外周部分に設けられ、前記貫通回転軸の回転に伴って回転する太陽歯車とを有しており、
前記カップ状外殻が、前記貫通回転軸を取り囲むように配置される透明部分を有しており、
前記開度表示機構が、
前記貫通回転軸が回転自在に貫通するよう設けられ、かつ、前記弁箱および前記弁蓋の少なくとも一方に固定される筐体と、
前記筐体内に収容され、前記貫通回転軸が回転自在に貫通する開度表示部材と、
前記筐体内に収容され、前記太陽歯車とかみ合い、かつ、前記太陽歯車の回転に伴って回転する遊星歯車とを有しており、
前記筐体が、
前記太陽歯車を取り囲むよう配置され、かつ、前記遊星歯車とかみ合う内歯車と、
前記透明部分に対向するよう配置される覗き窓とを有しており、
前記開度表示部材が、
前記覗き窓を介して前記透明部分に対向しており、かつ、開度情報を示す、表示部と、
前記遊星歯車の回転軸が設けられる回転軸設置部とを有していることを特徴とする、開度表示機能つき開閉弁。
【請求項２】
前記表示部が、先細り形に形成される先端部を有しており、
前記先端部の外周面が、前記覗き窓を介して前記透明部分に対向しており、かつ、開度情報を示すことを特徴とする、請求項１に記載の開度表示機能つき開閉弁。
【請求項３】
前記表示部が、前記先端部に加え、前記先端部と前記回転軸設置部との間に設けられる筒形部を有しており、
前記先端部の外周面に加え、前記筒形部の外周面が、前記覗き窓を介して前記透明部分に対向しており、かつ、開度情報を示すことを特徴とする、請求項２に記載の開度表示機能つき開閉弁。
【発明の詳細な説明】
【技術分野】
【０００１】
本発明は、開度表示機能つき開閉弁に関し、さらに詳しくは、配管に取付けられたとき開度を読み取りやすい開度表示機能つき開閉弁に関する。
【背景技術】
【０００２】
特許文献１は、開度計を開示する。この開度計は、弁棒を１回転以上させて流路の開閉を行う弁に取付けられる。この開度計は、弁棒を回転させるハンドルと、ハンドル上方から視認される開閉表示記号を有する開閉表示部材とを備える。この開閉表示装置は、ハンドルと開閉表示部材との間に、歯車伝達装置が介在されていることを特徴とする。歯車伝達装置は、流路を全開から全閉にするまでに必要なハンドルの回転量をπ[rad]よりも小さい角度に減少して開閉表示部材に伝達する。
【０００３】
特許文献１に開示された開度計は、全開状態および全閉状態を正確に読み取ることができる。
【０００４】
特許文献２は、開閉表示装置付きバルブを開示する。この開閉表示装置付きバルブは、閉止部材（閉止部材は弁箱内に挿入される）をスピンドルによって開閉操作可能に構成して、そのスピンドルにカップ状ハンドルを連結して構成したバルブである。このカップ状ハンドルの少なくともハンドル隅肉部分に、経線方向へ延びる覗き窓を設けてある。このカップ状ハンドルの内側空間に表示筒を挿入している。カップ状ハンドルと表示筒とはほぼ同軸上に配置される。表示筒は軸心回りの回転を阻止した状態で弁箱固定側部分に取付けられる。表示筒の軸心方向の外端部分に、内端側へ向かうにつれて拡径してハンドル隅肉部分に対面する傾斜面を設けている。その傾斜面に、表示具（表示具は閉止部材の開閉状態を表示する）を設けている。
【０００５】
特許文献２に開示された開閉表示装置付きバルブは、閉止部材の開閉状態を容易に読み取ることができる。
【先行技術文献】
【特許文献】
【０００６】
【特許文献１】特開２０００−１７９７４３号公報
【特許文献２】特開平７−２８０１３４号公報
【発明の概要】
【発明が解決しようとする課題】
【０００７】
特許文献１に開示された開度計と特許文献２に開示された開閉表示装置付きバルブとでは、配管に取付けられている弁に組み込まれた場合、開度を読み取ることが難しい場合があるという問題点がある。上述した弁が配管に取付けられたとき、特許文献１に言う開閉表示部材や特許文献２に言う覗き窓や表示具が他の配管によって遮られることがあるためである。
【０００８】
本発明は、上述した問題点を解決するためになされたものであって、その目的は、配管に取付けられたとき開度を読み取りやすい開度表示機能つき開閉弁を提供することにある。
【課題を解決するための手段】
【０００９】
図面を参照して本発明の開度表示機能つき開閉弁を説明する。なお、この欄で図中の符号を使用したのは、発明の内容の理解を助けるためであって、内容を図示した範囲に限定する意図ではない。
【００１０】
上述した課題を解決するために、本発明のある局面に従うと、開度表示機能つき開閉弁２０は、弁箱２２と、閉止部材２４と、弁蓋２６と、貫通回転軸２８と、カップ状ハンドル１００と、開度表示機構１０２とを備える。閉止部材２４は、弁箱２２内に収容される。弁蓋２６は、弁箱２２に取付けられる。貫通回転軸２８は、閉止部材２４を開閉操作するためのものである。貫通回転軸２８は、弁蓋２６を貫通する。カップ状ハンドル１００は、貫通回転軸２８に取付けられる。開度表示機構１０２は、カップ状ハンドル１００の中に配置される。カップ状ハンドル１００が、カップ状外殻１１２と、筒状部分１１０と、太陽歯車１１４とを有する。筒状部分１１０は、カップ状外殻１１２内に設けられる。筒状部分１１０には、貫通回転軸２８が挿入される。筒状部分１１０は、貫通回転軸２８の回転に伴って回転する。太陽歯車１１４は、筒状部分１１０の外周部分に設けられ、貫通回転軸２８の回転に伴って回転する。カップ状外殻１１２が、透明部分１１２ａを有している。透明部分１１２ａは、貫通回転軸２８を取り囲むように配置される。開度表示機構１０２が、筐体１２０，１２１と、開度表示部材１２２，１２３と、遊星歯車１２４とを有している。筐体１２０，１２１は、貫通回転軸２８が回転自在に貫通するよう設けられる。筐体１２０，１２１は、弁箱２２および弁蓋２６の少なくとも一方に固定される。開度表示部材１２２，１２３は、筐体１２０，１２１内に収容される。開度表示部材１２２，１２３は、貫通回転軸２８が回転自在に貫通する。遊星歯車１２４は、筐体１２０，１２１内に収容される。遊星歯車１２４は、太陽歯車１１４とかみ合う。遊星歯車１２４は、太陽歯車１１４の回転に伴って回転する。筐体１２０，１２１が、内歯車１２０ａと、覗き窓１２０ｂ，１２１ｂとを有している。内歯車１２０ａは、太陽歯車１１４を取り囲むよう配置される。内歯車１２０ａは、遊星歯車１２４とかみ合う。覗き窓１２０ｂ，１２１ｂは、透明部分１１２ａに対向するよう配置される。開度表示部材１２２，１２３が、表示部１２２ａと、回転軸設置部１２２ｂとを有している。表示部１２２ａは、覗き窓１２０ｂ，１２１ｂを介して透明部分１１２ａに対向している。表示部１２２ａは、開度情報を示す。回転軸設置部１２２ｂには、遊星歯車１２４の回転軸が設けられる。
【００１１】
閉止部材２４を開閉操作するために貫通回転軸２８が回転させられると、貫通回転軸２８に取り付けられたカップ状ハンドル１００の太陽歯車１１４も回転する。太陽歯車１１４が回転すると、太陽歯車１１４および筐体１２０，１２１の内歯車１２０ａと遊星歯車１２４とがかみ合っているので、遊星歯車１２４は回転する。遊星歯車１２４が回転すると、その回転軸が設けられており、かつ、貫通回転軸２８が回転自在に貫通する開度表示部材１２２，１２３は、貫通回転軸２８の周りを回転する。これに伴い、開度表示部材１２２，１２３が有する表示部１２２ａも貫通回転軸２８の周りを回転する。一方、開度表示部材１２２，１２３が収容される筐体１２０，１２１は、弁箱２２および弁蓋２６の少なくとも一方に固定される。弁箱２２および弁蓋２６の少なくとも一方に固定されるので、開度表示部材１２２，１２３が回転しても、筐体１２０，１２１は回転しない。筐体１２０，１２１が回転しないので、筐体１２０，１２１が有する覗き窓１２０ｂ，１２１ｂも回転しない。覗き窓１２０ｂ，１２１ｂが回転しないので、覗き窓１２０ｂ，１２１ｂおよびカップ状外殻１１２の透明部分１１２ａを通して見える表示部１２２ａの開度情報は貫通回転軸２８の回転ひいては閉止部材２４の開閉に伴って変化する。これにより、カップ状ハンドル１００が回転しても表示部１２２ａの開度情報が見える位置は何ら変わらないこととなる。開度情報が見える位置が何ら変わらないので、カップ状ハンドル１００が回転しても他の配管によって覗き窓１２０ｂ，１２１ｂが遮られることはない。その結果、配管に取付けられたとき開度を読み取りやすい開度表示機能つき開閉弁２０を提供することができる。
【００１２】
また、上述した表示部１２２ａが、先細り形に形成される先端部１３０を有していることが望ましい。この場合、先端部１３０の外周面が、覗き窓１２０ｂ，１２１ｂを介して透明部分１１２ａに対向しており、かつ、開度情報を示す。
【００１３】
先端部１３０の外周面が、覗き窓１２０ｂ，１２１ｂを介して透明部分１１２ａに対向しており、かつ、開度情報を示すので、カップ状ハンドル１００の先端側からもカップ状ハンドル１００の側面側からも開度情報を読みやすい。
【００１４】
もしくは、上述した表示部１２２ａが、先端部１３０に加え、筒形部１３２を有していることが望ましい。筒形部１３２は、先端部１３０と回転軸設置部１２２ｂとの間に設けられる。この場合、先端部１３０の外周面に加え、筒形部１３２の外周面が、覗き窓１２０ｂ，１２１ｂを介して透明部分１１２ａに対向しており、かつ、開度情報を示す。
【００１５】
先端部１３０だけでなく、筒形部１３２も、透明部分１１２ａに対向しており、かつ、開度情報を示すので、例えば高所といった先端部１３０が見えにくいような場所の配管に取付けられたときでも開度を読み取りやすくできる。
【発明の効果】
【００１６】
本発明にかかる開度表示機能つき開閉弁は、配管に取付けられたとき開度を読み取りやすくできる。
【図面の簡単な説明】
【００１７】
【図１】本発明の実施例にかかる開度表示機能つき開閉弁の縦断面図である。
【図２】本発明の実施例にかかる開度表示機能つき開閉弁の平面図である。
【図３】図１のＡ−Ａ断面図である。
【図４】本発明の実施例にかかる開度表示部材の概略図である。
【図５】本発明の変形例にかかる開度表示部材の概略図である。
【発明を実施するための形態】
【００１８】
以下、本発明の実施例を図面に基づき説明する。
図１は開度表示機能つき開閉弁２０の縦断面図である。図２は開度表示機能つき開閉弁２０の平面図である。図３は図１のＡ−Ａ断面図である。図４は開度表示部材１２２の概略図である。
【００１９】
図示しないガスボンベには、約１５ＭＰａの窒素ガスが充填可能とされていることとする。そのガスボンベの首部に本実施例にかかる開度表示機能つき開閉弁２０が取付けられる（本実施例にかかる開度表示機能つき開閉弁２０が、窒素ガス充填するためのガスボンベに代えて、アルゴンガスその他のガスを充填するためのガスボンベに取付けられて良いことは言うまでもない）。開度表示機能つき開閉弁２０は弁箱２２を備える。弁箱２２に形成された脚ネジ部２２０がそのガスボンベの首部にネジ止め固定される。その弁箱２２の途中部分から出口ノズル２２２が横向きに突出している。脚ネジ部２２０の下面に開口したガス入口２２４が、入口路２２６と閉止弁座２２８の筒孔内と閉止弁室２３０と出口路２３２とを順に経由して、出口ノズル２２２の端面に開口したガス出口２３４へ通じている。閉止弁室２３０に閉止部材２４が収容されている。閉止部材２４の外周部には雄ねじが設けられている。閉止弁室２３０の内壁には雌ねじが設けられている。これら雄ねじと雌ねじとがかみ合っているので、閉止部材２４は、閉止弁室２３０の中を自由に昇降できる。そのため、閉止部材２４に嵌め込まれている合成樹脂製の弁体２４０は、閉止弁座２２８に接したり閉止弁座２２８から離れたりできる。
【００２０】
入口路２２６の途中部から分岐された吹き出し路２３８に安全弁３８が設けられる。この安全弁３８は、合成樹脂製ガスケット３８０と銅合金製の破裂板３８２と押圧用プラグ３８４と三元共晶合金製の可溶栓３８６とによって構成される。
【００２１】
弁箱２２のうち閉止弁室２３０の上側の部分にネジ孔２３６が形成される。そのネジ孔２３６に弁蓋２６がネジ止めされる。弁蓋２６が有する孔を貫通回転軸２８が貫通する。弁蓋２６の孔の内周面と貫通回転軸２８の外周面との間は、２つのＯリング３０によってシールされる。これにより、貫通回転軸２８は、弁蓋２６に対して時計回りにも反時計回りにも回転できる。貫通回転軸２８の下部が閉止部材２４に連結される。貫通回転軸２８の上部にカップ状ハンドル１００が取付けられる。カップ状ハンドル１００が回ると貫通回転軸２８も回る。貫通回転軸２８が回ると閉止部材２４も回る。
【００２２】
カップ状ハンドル１００は、筒状部分１１０と、カップ状外殻１１２と、太陽歯車１１４と、頂壁１１６とを有する。本実施例において、筒状部分１１０と、カップ状外殻１１２と、太陽歯車１１４と、頂壁１１６とは、透明な樹脂によって一体成形されている。作業者は、カップ状外殻１１２を指でつかんでカップ状ハンドル１００にトルクを与える。これにより、カップ状ハンドル１００ひいては貫通回転軸２８が回転する。
【００２３】
筒状部分１１０は、カップ状外殻１１２内に設けられる。筒状部分１１０には、貫通回転軸２８が挿入される。筒状部分１１０の筒孔１１０ａ内に、ハンドルナット３４と押し上げバネ３６とが設けられる。その押し上げバネ３６の弾性力によって、貫通回転軸２８の途中に設けた環状突起２８０が弁蓋２６の内壁２６２に接する。
【００２４】
太陽歯車１１４は、筒状部分１１０の外周部分に設けられる。本実施例において、太陽歯車１１４が筒状部分１１０と一体となっているので、太陽歯車１１４は、貫通回転軸２８の回転に伴って回転する。
【００２５】
頂壁１１６は、筒状部分１１０とカップ状外殻１１２とを連結する。
【００２６】
図１ないし図３を参照しつつ、開度表示機構１０２について説明する。カップ状ハンドル１００の筒状部分１１０とカップ状外殻１１２との間の環状空間に開度表示機構１０２が収容される。開度表示機構１０２は、筐体１２０と、開度表示部材１２２と、遊星歯車１２４とを有している。
【００２７】
筐体１２０は、貫通回転軸２８が回転自在に貫通するよう設けられる。筐体１２０は、弁蓋２６の六角形頭部２６０に動かないよう強く嵌め込まれる。開度表示部材１２２は、貫通回転軸２８が回転自在に貫通するように、筐体１２０内に収容される。遊星歯車１２４は、筐体１２０内に収容される。遊星歯車１２４は、図３に示すように、太陽歯車１１４とかみ合う。遊星歯車１２４は、太陽歯車１１４だけでなく筐体１２０の内歯車１２０ａともかみ合う。そのため、遊星歯車１２４は、太陽歯車１１４の回転に伴って貫通回転軸２８の周りを回転する。
【００２８】
筐体１２０は、内歯車１２０ａと、覗き窓１２０ｂとを有している。内歯車１２０ａは、太陽歯車１１４を取り囲むよう配置される。内歯車１２０ａは、遊星歯車１２４とかみ合う。覗き窓１２０ｂは、カップ状外殻１１２の付け根部分１１２ａに対向するよう配置される。
【００２９】
開度表示部材１２２は、表示部１２２ａと、回転軸設置部１２２ｂとを有する。表示部１２２ａは、覗き窓１２０ｂを介してカップ状外殻１１２の付け根部分１１２ａに対向している。表示部１２２ａは、開度情報を示す。これにより、カップ状外殻１１２の外からその中を見ると、図２に示すように、カップ状外殻１１２と覗き窓１２０ｂとを介して表示部１２２ａの開度情報が見える。回転軸設置部１２２ｂには、遊星歯車１２４の回転軸１２４ａが嵌めこまれている。このため、遊星歯車１２４が貫通回転軸２８の周りを回転するのに伴い、開度表示部材１２２も貫通回転軸２８の周りを回転する。
【００３０】
図１と図４とを参照しつつ、本実施例にかかる開度表示部材１２２について説明する。本実施例において、開度表示部材１２２は、赤い合成樹脂を素材として形成されている。開度表示部材１２２には、カップ状外殻１１２の付け根部分１１２ａの内周面（ひいては覗き窓１２０ｂ）に対向する表示部１２２ａが設けられる。この表示部１２２ａは、先端部１３０と筒形部１３２とを有している。先端部１３０は、図１で言えば上から下に向かう方向へ末広がりとなるよう（つまり先細り形となるよう）傾斜している。本実施例の場合、この先端部１３０に開度情報が印刷されている。開度情報は、閉止弁座２２８に対する弁体２４０の開き具合（開度）を示す。本実施例の場合、先端部１３０と筒形部１３２とのうち先端部１３０のみが覗き窓１２０ｂに対向している。その結果、カップ状外殻１１２の付け根部分１１２ａの内周面に対向しているのは先端部１３０と筒形部１３２とのうち先端部１３０のみとなる。筒形部１３２は、先端部１３０と回転軸設置部１２２ｂとの間に設けられる。
【００３１】
開度表示部材１２２の先端部１３０に形成された開度情報について、図４（Ｂ）に基づいて説明する。本実施例の場合、開度表示部材１２２の先端部１３０には、開度情報がほぼ全面にわたって印刷されている。即ち、ほぼπ/２[rad]の角度範囲で設けた閉じ状態表示領域１４０と、ほぼπ[rad]の角度範囲で渦巻き状に形成した開き途中表示領域１４２とが、青色によって帯状に印刷される。閉じ状態表示領域１４０のほぼ中央部に、『閉』の地色文字が切り絵状に形成される。全開状態表示領域１４４は、地色によってほぼπ/２[rad]の角度範囲で設けられ、その全開状態表示領域１４４のほぼ中央部に、『全開』の青色文字が印刷される。このような開度情報の配置は、開度と（ひいては貫通回転軸２８が何回転できるかということと）開度表示機構１０２の減速比とに基づいて、自ずと導き出されるものである。
【００３２】
なお、図２に示すように、筐体１２０のうち覗き窓１２０ｂを取り囲む傾斜面にはハンドル操作用表示情報１４６が印刷されている。このハンドル操作用表示情報１４６は、Ｃ字状に着色した表示面１４６ａと、開閉方向を示す２つの矢印１４６ｂ・１４６ｃと、その方向を表示する２つの文字部分１４６ｄ・１４６ｅとによって構成される。
【００３３】
次に、本実施例にかかる開度表示機能つき開閉弁２０の動作について説明する。図２で言えば時計回りの方向へカップ状ハンドル１００を回転操作すると貫通回転軸２８が回転する。貫通回転軸２８が回転すると閉止部材２４も回転する。このとき、閉止部材２４は下降する。閉止部材２４が十分に下降すると、閉止部材２４の下部に設けた弁体２４０が閉止弁座２２８に接し、弁体２４０が閉止弁座２２８を塞ぐ。この閉弁状態では、図２に示すように、開度表示部材１２２の表示部１２２ａに印刷された『閉』の表示部分を覗き窓１２０ｂからカップ状ハンドル１００を通して覗くことが可能である。
【００３４】
次に、図２で言えば反時計回りの方向へカップ状ハンドル１００を回転操作すると貫通回転軸２８が回転する。貫通回転軸２８が回転すると閉止部材２４も回転する。このとき、閉止部材２４は上昇する。閉止部材２４の弁体２４０は閉止弁座２２８から離れていく。
【００３５】
このとき、カップ状ハンドル１００が回転するので、カップ状外殻１１２の太陽歯車１１４も回転する。太陽歯車１１４が回転するので、これおよび筐体１２０の内歯車１２０ａにかみ合う遊星歯車１２４も回転する。筐体１２０が弁蓋２６の六角形頭部２６０に動かないよう強く嵌め込まれているので、筐体１２０の内歯車１２０ａは回転しない。この際、開度表示部材１２２は貫通回転軸２８の周りを回る。
【００３６】
開度表示部材１２２が貫通回転軸２８の周りを回るため、この開弁操作時において、覗き窓１２０ｂには、まず、開き途中表示領域１４２の周方向の一部分が対向する。すなわち、覗き窓１２０ｂの外から、開き途中表示領域１４２の周方向の一部分が見える。引き続いて、覗き窓１２０ｂには、全開状態表示領域１４４が対向する。すなわち、覗き窓１２０ｂの外から、全開状態表示領域１４４が見える。
【００３７】
以上のようにして、本実施例にかかる開度表示機能つき開閉弁２０は、配管に取付けられたとき開度を読み取りやすいという効果を得ることができる。
【００３８】
上記の各実施例で説明した開度表示機能つき開閉弁は、本発明の技術的思想を具体化するために例示したものであり、各部材の形状や構造、配置などをこの実施形態のものに限定するものではなく、種々の変更を加え得るものである。
【００３９】
例えば、カップ状ハンドル１００は、全体が透明な樹脂で一体形成されたものに限定されない。カップ状ハンドル１００は、覗き窓１２０ｂに対向する部分だけが透明であってもよい。また、ここでいう「透明」とは、無色透明だけでなく、色がついた透明であってもよい。
【００４０】
また、筐体１２０は、弁蓋２６に嵌め込まれるのではなく、弁箱２２に直接固定されていてもよい。
【００４１】
また、表示部１２２ａにおいて、先端部１３０のみではなく、筒形部１３２にも開度情報が印刷されていてもよい。図５は、この場合の開度表示部材１２３と筐体１２１とを示す概略図である。この場合の筐体１２１は、筒形部１３２の開度情報もカップ状外殻１１２の外から見えるよう、図４（Ａ）に示した覗き窓１２０ｂよりも大きな覗き窓１２１ｂを有している。これにより、筒形部１３２は、覗き窓１２１ｂを介してカップ状外殻１１２の側面の透明部分と対向することとなる。
【符号の説明】
【００４２】
２０  開閉弁
２２  弁箱
２４  閉止部材
２６  弁蓋
２８  貫通回転軸
３０  Ｏリング
３４  ハンドルナット
３６  押し上げバネ
３８  安全弁
１００      カップ状ハンドル
１０２      開度表示機構
１１０      筒状部分
１１０ａ    筒孔
１１２      カップ状外殻
１１２ａ    付け根部分
１１４      太陽歯車
１１６      頂壁
１２０，１２１     筐体
１２０ａ    内歯車
１２０ｂ，１２１ｂ 覗き窓
１２２，１２３     開度表示部材
１２２ａ    表示部
１２２ｂ    回転軸設置部
１２４      遊星歯車
１２４ａ    回転軸
１３０      先端部
１３２      筒形部
１４０      閉じ状態表示領域
１４２      開き途中表示領域
１４４      全開状態表示領域
１４６      ハンドル操作用表示情報
１４６ａ    表示面
１４６ｂ，１４６ｃ 矢印
１４６ｄ，１４６ｅ 文字部分
２２０      脚ネジ部
２２２      出口ノズル
２２４      ガス入口
２２６      入口路
２２８      閉止弁座
２３０      閉止弁室
２３２      出口路
２３４      ガス出口
２３６      ネジ孔
２３８      吹き出し路
２４０      弁体
２６０      六角形頭部
２６２      内壁
２８０      環状突起
３８０      合成樹脂製ガスケット
３８２      破裂板
３８４      押圧用プラグ
３８６      可溶栓
【図１】
2011133043.tif 000003
【図２】
2011133043.tif 000004
【図３】
2011133043.tif 000005
【図４】
2011133043.tif 000006
【図５】
2011133043.tif 000007